(57)【要約】  水素／臭素還元−酸化フロー電池システムは、臭素電極、水素電極、膜、第一の触媒および第二の触媒を含む。前記膜は、臭素電極と水素電極との間に配置される。前記第一の触媒は、前記臭素電極と関連づけられている。前記第二の触媒は、前記水素電極と関連づけられており、前記触媒は、（ｉ）Ｈ2の容易な解離を促進し、かつ（ｉｉ）前記水素電極上への臭素の吸着を妨げるように構成された表面合金から少なくとも部分的に形成されている。
2016507884.tif 000002
【特許請求の範囲】
【請求項１】
水素／臭素還元−酸化フロー電池システムであって、
臭素電極と、
水素電極と、
前記臭素電極と水素電極との間に配置された膜と、
前記臭素電極と関連付けられた第一の触媒と、
前記水素電極と関連付けられた第二の触媒と、
を含み、前記第二の触媒は、（ｉ）Ｈ2の容易な解離を促進し、かつ（ｉｉ）前記水素電極上への臭素の吸着を妨げるように構成された表面合金から少なくとも部分的に形成されている水素／臭素還元−酸化フロー電池システム。
【請求項２】
前記表面合金は、溶質金属とホスト金属を含み、その際、前記溶質金属は銅であり、かつ前記ホスト金属はＰｔ（１１１）である、請求項１に記載の水素／臭素還元−酸化フロー電池システム。
【請求項３】
前記表面合金は、溶質金属とホスト金属を含み、その際、前記溶質金属は金であり、かつ前記ホスト金属はＰｔ（１１１）である、請求項１に記載の水素／臭素還元−酸化フロー電池システム。
【請求項４】
前記水素電極と流体連結され、かつ該水素電極に気体状Ｈ2を供給するように構成されている第一の供給源と、
前記臭素電極と流体連結され、かつ該臭素電極にＢｒ2／ＨＢｒ水溶液を供給するように構成されている第二の供給源と、
を更に含む、請求項１に記載の水素／臭素還元−酸化フロー電池システム。
【請求項５】
前記臭素電極は、第一の多孔質の炭素基材から少なくとも部分的に形成されており、かつ前記第一の触媒は、前記第一の多孔質の炭素基材上に堆積されており、かつ前記水素電極は、第二の多孔質の炭素基材から少なくとも部分的に形成されており、かつ前記第二の触媒は、前記第二の炭素基材上に堆積されている、請求項１に記載の水素／臭素還元−酸化フロー電池システム。
【請求項６】
前記第一の触媒は、白金、タンタルおよびイリジウムのうち１種以上から少なくとも部分的に形成されている、請求項１に記載の水素／臭素還元−酸化フロー電池システム。
【請求項７】
前記膜は、カチオン交換膜である、請求項１に記載の水素／臭素還元−酸化フロー電池システム。
【請求項８】
前記膜は、スルホン化ポリスチレン膜を含む、請求項７に記載の水素／臭素還元−酸化フロー電池システム。
【請求項９】
還元−酸化フロー電池システムであって、
カソード電極と、
アノード電極と、
前記カソード電極とアノード電極との間に配置された膜と、
前記カソード電極と関連付けられた第一の触媒と、
前記アノード電極と関連付けられた第二の触媒と、
を含み、前記第二の触媒は、溶質金属およびホスト金属を含む表面合金から少なくとも部分的に形成されており、その際、前記溶質金属は、銅および金の一方であり、かつ前記ホスト金属は、Ｐｔ（１１１）である還元−酸化フロー電池システム。
【請求項１０】
前記第二の触媒は、（ｉ）Ｈ2の容易な解離を促進し、かつ（ｉｉ）前記アノード電極上への臭素の吸着を妨げるように構成されている、請求項９に記載の還元−酸化フロー電池システム。
【請求項１１】
前記アノード電極と流体連結され、かつ該アノード電極に気体状Ｈ2を供給するように構成されている第一の供給源と、
前記カソード電極と流体連結され、かつ該カソード電極にＢｒ2／ＨＢｒ水溶液を供給するように構成されている第二の供給源と、
を更に含む、請求項９に記載の還元−酸化フロー電池システム。
【請求項１２】
前記カソード電極は、第一の多孔質の炭素基材から少なくとも部分的に形成されており、かつ前記第一の触媒は、前記第一の多孔質の炭素基材上に堆積されており、かつ前記アノード電極は、第二の多孔質の炭素基材から少なくとも部分的に形成されており、かつ前記第二の触媒は、前記第二の炭素基材上に堆積されている、請求項９に記載の還元−酸化フロー電池システム。
【請求項１３】
前記第一の触媒は、白金、タンタルおよびイリジウムのうち１種以上から少なくとも部分的に形成されている、請求項９に記載の還元−酸化フロー電池システム。
【請求項１４】
前記膜は、カチオン交換膜である、請求項９に記載の還元−酸化フロー電池システム。
【請求項１５】
前記膜は、スルホン化ポリスチレン膜を含む、請求項１４に記載の還元−酸化フロー電池システム。
【発明の詳細な説明】
【技術分野】
【０００１】
本出願は、２０１３年２月２１日に出願された米国仮特許出願第６１／７６７，５８７号に基づく優先権の利益を請求する。前記出願の内容全体はここに参照により援用する。
【０００２】
分野
本開示は、一般的に電池システムに関し、より具体的には、Ｃｕ／Ｐｔ（１１１）および／またはＡｕ／Ｐｔ（１１１）の表面合金（subsurface alloy）から少なくとも部分的に形成される、Ｈ2／Ｂｒ2還元−酸化（「レドックス」）フロー電池システムのアノード電極に関する。
【０００３】
背景
レドックスフロー電池（「ＲＦＢ」）システムは、１種以上の溶解された電気活性種を含有する電解質が、化学的エネルギーを電気に変える電気化学的セルを流通する充電式電池／燃料電池の一形態である。前記電解質は屋外で、一般的にタンク内で貯蔵され、そして該電池システムの１つ以上のセルを通じて循環される。フロー電池の制御は、流速と、該セルの充電状態（「ＳＯＣ」）の知識を必要とする。これらの２つの要素が一緒になって電極における反応物の濃度および可用性を決め、そして予め決められた作動限界内での最高の効率の場合の該セルから調達できる電流を決定する。前記ＳＯＣは、どのくらい多くのエネルギーを該電池が貯蔵または発揮できるかを決めるためにも使用される。特定されたＳＯＣは、該電池が放電プロセスの間の任意の所定の時点で生成できる出力を決定することもできる。
【０００４】
一つの特定の種類のレドックスフロー電池システムは、Ｈ2／Ｂｒ2電池システムと呼称される。この種類の電池システムは、安全かつ経済的な条件下で高品質の電気を供給する。Ｈ2／Ｂｒ2電池システムの他の特徴は、電極反応の高い固有可逆性、高い電力容量および延長されたサイクル寿命を含む。前記の利点および特徴の結果として、Ｈ2／Ｂｒ2電池システムは、送電網用のエネルギー貯蔵のための見込みのある電池システムとして潜在性を示している。
【０００５】
Ｈ2／Ｂｒ2電池システムの一つの懸念は、該電池システム中に存在するハロゲン化物化学種が１つ以上の電極（典型的はアノード電極）の電気触媒表面を「被毒」させることで、該セル寿命を損ないうるということである。他の種類の電池システムにおける様々な触媒表面に対するハロゲン化物の被毒効果に関して集められた証拠にもかかわらず、Ｈ2／Ｂｒ2電池システムにおけるハロゲン化物被毒の効果を調べた体系的な研究は提供されていない。おそらく、前記被毒効果の証拠は、白金様金属上での臭素化学種の吸着の測定困難性のため得られていないと思われる。従って、Ｈ2／Ｂｒ2電池システムにおける電気触媒表面の被毒の懸念は、取り組むべき潜在的な制約である。
【０００６】
当該技術分野における前記制約に鑑みて、アノード電極の被毒をほとんど受けない改善されたＨ2／Ｂｒ2電池システムに要求が存在する。
【０００７】
要旨
本開示の一実施形態によれば、還元−酸化フロー電池システムは、臭素電極、水素電極、膜、第一の触媒および第二の触媒を含む。前記膜は、臭素電極と水素電極との間に配置される。前記第一の触媒は、前記臭素電極と関連づけられている。前記第二の触媒は、前記水素電極と関連づけられており、前記触媒は、（ｉ）Ｈ2の容易な解離を促進し、かつ（ｉｉ）前記水素電極上への臭素の吸着を妨げるように構成された表面合金から少なくとも部分的に形成されている。
【０００８】
本開示のもう一つの実施形態によれば、水素／臭素還元−酸化フロー電池システムは、カソード電極、アノード電極、カチオン交換膜、第一の触媒および第二の触媒を含む。前記カチオン交換膜は、カソード電極とアノード電極との間に配置される。前記第一の触媒は、前記カソード電極と関連づけられている。前記第二の触媒は、前記アノード電極と関連づけられており、前記触媒は、溶質金属とホスト金属とを含む表面合金から少なくとも部分的に形成されている。前記溶質金属は、銅および金の一方であり、かつ前記ホスト金属は、Ｐｔ（１１１）である。
【０００９】
前記の特徴および利点ならびにその他の点は、当業者には以下の詳細な説明と付属の図面を参照することでより明らかになるべきである。
【図面の簡単な説明】
【００１０】
【図１】図１は、本明細書に記載されるＨ2／Ｂｒ2電池システムを示す断面図である。
【図２】図２は、図１のＨ2／Ｂｒ2電池システムの触媒の一つの表面合金の原子モデルである。
【図３】図３は、図１のＨ2／Ｂｒ2電池システムの触媒のもう一つの表面合金の原子モデルである。
【図４】図４は、様々な種類の金属表面上でのＨ2解離反応についての反応経路を示すグラフである。
【００１１】
詳細な説明
本開示の原理の理解を促す目的で、図面に図解される実施形態と以下に記載の明細書に記載される実施形態がここで参照される。本開示の範囲をそれにより制限することを意図するものではないと理解される。更に、本開示は、図解された実施形態に対する任意の変化および変更を含み、更に本開示に属する技術分野における当業者に通常想起されるであろう開示の原理の適用を含む。
【００１２】
図１に示されるように、水素／臭素還元−酸化フロー電池システム（１００）は、臭素部（１０４）、水素部（１０８）、および前記臭素部と水素部との間に配置された膜（１１２）を含む。前記臭素部（１０４）は、臭素源（１１６）、臭素流れ領域（１２０）、集電体（１２４）、臭素電極（１２８）および触媒（１３２）を含む。前記臭素源（１１６）は、臭化水素（「ＨＢｒ」）中の臭素（「Ｂｒ2」）の水溶液（本明細書では「ＨＢｒ／Ｂｒ2」水溶液または「Ｂｒ2／ＨＢｒ」水溶液と呼ぶ）を含み、前記水溶液は一般的には室温および室圧で液状である。臭素源（１１６）は、ＨＢｒ／Ｂｒ2の貯蔵のために一般的に使用される任意の材料、例えばガラス、鉛、Ｔｅｆｌｏｎ（登録商標）または当業者によって望まれる任意の他の十分に耐食性の材料から形成（または前記材料で裏張り）されている。
【００１３】
臭素流れ領域（１２０）は、臭素源（１１６）に流体連結されており、かつ臭素源によって貯蔵されたＨＢｒ／Ｂｒ2を受容するように構成されている。前記臭素流れ領域（１２０）は、炭素ベースの材料から形成されており、導電性である。結果として、前記臭素流れ領域（１２０）は、耐食性で、耐久性があり、かつ低コストである。前記臭素流れ領域（１２０）は多孔質であり、前記ＨＢｒ／Ｂｒ2溶液をそこに流通可能であるように構成されている。
【００１４】
前記集電体（１２４）は、前記臭素流れ領域（１２０）に連結されている。前記集電体（１２４）は、前記電池システムの放電状態の間に該電池システム（１００）の正端子（すなわちカソード）を形成するように構成されている。前記集電体（１２４）は、該集電体の少なくとも一部が前記臭素流れ領域（１２０）を流通するＨＢｒ／Ｂｒ2溶液と接触するように配置されている。前記集電体（１２４）は、導電性であり、かつ少なくとも部分的に、金属、例えばアルミニウムまたは当業者によって望まれる別の適切な金属から形成されている。
【００１５】
前記臭素電極（１２８）（本明細書中ではカソード電極とも呼ばれる）は、前記臭素源（１１６）へと前記臭素流れ領域（１２０）を通じて流体連結されている。前記臭素電極（１２８）は、前記ＨＢｒ／Ｂｒ2溶液を流通可能にするために、少なくとも部分的に多孔質炭素基材から形成されている。従って、前記臭素電極（１２８）は、臭素源（１１６）からのＨＢｒ／Ｂｒ2溶液が供給されるように構成されている。
【００１６】
前記触媒（１３２）は、前記臭素電極（１２８）と関連付けられている。例示的な一実施形態においては、前記触媒（１３２）は、前記臭素電極（１２８）上全体にわたって堆積されている。従って、前記触媒（１３２）は、ＨＢｒ／Ｂｒ2が臭素電極（１２８）を流通するときに該ＨＢｒ／Ｂｒ2と接触するように構成されている。前記触媒（１３２）は、少なくとも部分的に、白金、タンタルおよびイリジウムの１つ以上から形成されている。
【００１７】
前記水素部（１０８）は、水素源（１３６）、水素流れ領域（１４０）、集電体（１４４）、水素電極（１４８）および触媒（１５２）を含む。前記水素源（１３６）は、水素を気相で貯蔵するように構成されている。前記水素源（１３６）は、気体状水素（すなわち気体状Ｈ2）を貯蔵するために一般的に使用される任意の材料、例えばガラスまたは金属から形成（または前記材料で裏張り）されている。
【００１８】
水素流れ領域（１４０）は、水素源（１３６）に流体連結されており、かつ水素源によって貯蔵された水素を受容するように構成されている。前記水素流れ領域（１４０）は、炭素ベースの材料から形成されており、導電性である。結果として、前記水素流れ領域（１４０）は、耐食性で、耐久性があり、かつ低コストである。前記水素流れ領域（１４０）は多孔質であり、前記気体状水素をそこに流通可能であるように構成されている。
【００１９】
前記集電体（１４４）は、前記水素流れ領域（１４０）に連結されている。前記集電体（１４４）は、前記電池システムの放電動作の間に該電池システム（１００）の負端子（すなわちアノード）を形成するように構成されている。前記集電体（１４４）の少なくとも一部は、前記水素流れ領域（１４０）を流通する水素と接触するように配置されている。前記集電体（１４４）は、導電性であり、かつ少なくとも部分的に、金属、例えば銅または当業者によって望まれる任意の他の適切な金属から形成されている。
【００２０】
前記水素電極（１４８）（本明細書中ではアノード電極とも呼ばれる）は、前記水素源（１３６）へと前記水素流れ領域（１４０）を通じて流体連結されている。前記水素電極（１４８）は、前記気体状水素を流通可能にするために、少なくとも部分的に多孔質炭素基材から形成されている。従って、前記水素電極（１４８）は、水素源（１３６）からの気体状水素（Ｈ2）が供給されるように構成されている。
【００２１】
前記触媒（１５２）は、前記水素電極（１４８）と関連付けられている。例示的な一実施形態においては、前記触媒（１５２）は、前記水素電極（１４８）上全体にわたって堆積されている。従って、前記触媒（１５２）は、気体状水素が水素電極（１４８）を流通するときに該気体状水素と接触するように構成されている。
【００２２】
図２および図３に関して、前記触媒（１５２）は、ホスト金属（１５６）と溶質金属（１６０）とを含む表面合金から少なくとも部分的に形成されている。前記ホスト金属（１５６）は、例示的な一実施形態においては、少なくとも部分的にＰｔ（１１１）から形成されている。Ｐｔ（１１１）は、白金（Ｐｔ）の一結晶形であり、当業者に公知のようにミュラー指数によって表される結晶面（１１１）を規定している。他の実施形態においては、前記ホスト金属（１５６）は、当業者によって所望される任意の他の適切な（任意の結晶方位での）金属から形成されている。前記溶質金属（１６０）は、金（Ａｕ）または銅（Ｃｕ）から形成されているが、もう一つの実施形態においては、前記溶質金属は、当業者によって望まれる任意の金属から形成されている。従って、本明細書に記載される例示的な実施形態においては、前記触媒（１５２）の表面合金は、Ｃｕ／Ｐｔ（１１１）およびＡｕ／Ｐｔ（１１１）の少なくとも１つを含む。
【００２３】
前記表面合金（本明細書においては近傍表面合金（near surface alloy）とも呼ぶ）は、溶質金属（１６０）が、ホスト金属（１５６）の表面にまたは表面近くに存在する合金を含む。特に、図２の例示的な構成に示されるように、前記溶質金属（１６０）の原子的薄層は、ホスト金属（１５６）の表面に位置している。図３の例示的な構成に示されるように、前記溶質金属（１６０）の原子的薄層は、ホスト金属（１５６）の表面近くであって該ホスト金属の原子的薄層の下に位置している。他の実施形態においては、前記触媒（１５２）の表面合金は、当業者に望まれる表面合金の他の構成を含む。
【００２４】
典型的な表面合金においては、わずか少量の溶質金属（１６０）しかホスト金属（１５６）中に含まれていない。例えば、一つの例示的な表面合金においては、溶質金属（１６０）は、該表面合金の材料の約０．１％〜５％（質量％または容積％）を構成する。前記溶質金属（１６０）が非常に少量だけしか触媒（１５２）中に存在しないとしても、前記溶質金属は、以下に詳細に記載されるように、前記ホスト金属（１５６）の触媒特性に対して劇的な作用をもたらす。
【００２５】
前記膜（１１２）は、前記臭素部（１０４）と前記水素部（１０８）との間に配置されており、かつ前記触媒（１３２）および触媒（１５２）へと連結されている。前記膜（１１２）はカチオン交換膜であり、該膜は、それを通じてイオンを通過可能に構成されているが、それを通じたアニオンと電子の通過を防ぐ。前記膜（１１２）は、少なくとも部分的に、スルホン化ポリスチレンから形成されている。特定の一実施形態においては、前記膜（１１２）は、Nafion（登録商標）または任意の他の所望の材料もしくはポリマーから形成されている。前記膜（１１２）は、アニオンの通過防止の点で非常に効果的であるが、幾つかのアニオンは一般的に前記膜を通じて「漏れ」る。
【００２６】
動作中に、前記電池システム（１００）は、化学的エネルギーを電気的エネルギーに変換する。該電池システム（１００）の放電動作の間に、水素源（１３６）中に貯蔵された気体状水素は、前記水素流れ領域（１４０）および前記水素電極（１４８）を通じて循環され、そしてＨＢｒ／Ｂｒ2は、臭素源（１１６）を通じて循環される。水素が前記電極（１４８）を通って移動すると、その水素は触媒（１５２）の表面で酸化される。その水素の酸化は、以下の半電池反応式（１）に従ってヒドロニウムイオンと電子を生成する。
【００２７】
【化１】
2016507884.tif 000003
【００２８】
次に、放電動作の間には、前記ヒドロニウムイオンは、膜（１１２）を通じて臭素電極（１２８）へと移行する。式（１）で生成された電子は、水素流れ領域（１４０）と集電体（１４４）を通って電池システム（１００）に接続された電気的負荷（１６４）へと移動する。
【００２９】
前記電気的負荷によって受け止められた後に、前記電子は、臭素部（１０４）の集電体（１２４）へと続く。次いでその電子は、臭素流れ領域（１２０）と電極（１２８）を通って前記触媒（１３２）へと移動する。該触媒（１３２）に到達すると、前記電子はＨＢｒ／Ｂｒ2の臭素を還元して臭素を生成し、そして以下の式（２）に従って、２５℃で、理論的電位１．０９８Ｖを生ずる。
【００３０】
【化２】
2016507884.tif 000004
【００３１】
それらの臭素イオンは膜（１１２）を通じて運ばれたヒドロニウムイオンと結合して、臭化水素酸を生成する。従って放電の間に、水素と臭素は、前記電池システム（１００）の正味の全反応を説明している以下の式（３）に示されるように、臭化水素酸と電子を形成する。
【００３２】
【化３】
2016507884.tif 000005
【００３３】
前記電池システム（１００）の充電動作の間には、前記式および反応（１）、（２）および（３）は、右から左へと動いて、前記臭化水素酸を水素と臭素へと変換する。従って、充電動作の間には、前記ＨＢｒ／Ｂｒ2溶液は、Ｂｒ2豊富になり、ＨＢｒに乏しくなる一方で、放電の間には、前記ＨＢｒ／Ｂｒ2溶液は、ＨＢｒ豊富になり、かつＢｒ2に乏しくなる。前記反応式（３）は、前記電池システム（１００）が電極反応の高い固有可逆性を有することを示している。
【００３４】
典型的なＨ2／Ｂｒ2フロー電池システムにおいては、水素電極（すなわちアノード）に関連付けられる触媒は、該触媒が、前記膜を通じて運ばれるアニオン、例えば臭素および他の臭素化学種を吸着する結果としてＢｒ化学種による被毒を受ける。前記電池システム（１００）は、触媒（１５２）の組成のため前記被毒を受けにくい。
【００３５】
前記触媒（１５２）の組成は、数ある要因のなかでも、触媒（１５２）の金属または金属合金への臭素（Ｂｒ）に関する結合エネルギーに基づいて選択された。体系的な密度汎関数理論（「ＤＦＴ」）を基礎とする調査アプローチを使用して、Ａｕ（１１１）、Ｐｔ（１１１）、Ｃｕ／Ｐｔ（１１１）およびＡｕ／Ｐｔ（１１１）を含む材料についてのＢｒの結合エネルギーを測定した。第１表に示されるように、前記材料は、最低の結合エネルギーから最高の結合エネルギーへと並べられている。前記電池システム（１００）に関して、低い結合エネルギーが望ましい。それというのも、低い結合エネルギーを有する材料は、前記触媒（１５２）上に臭素が吸着することを、高い結合エネルギーを有する材料よりも高い程度で防ぐからである。従って、前記触媒（１５２）に臭素が結合する潜在性を低下させることによって、該触媒（１５２）の有用な耐用年数が高められる。
【００３６】
【表１】
2016507884.tif 000006
【００３７】
第１表に示される結果から、それぞれの材料は、Ｐｔ（１１１）が発揮するよりも低いＢｒについての結合エネルギーを示した。
【００３８】
Ｂｒについての低い結合エネルギーを示すことに加えて、該触媒（１５２）が容易なＨ2解離を維持することが重要である。解離とは、前記触媒（１５２）上で気体状Ｈ2が原子の水素（Ｈ）へと解離することを指す。図４に示されるように、第１表の金属／金属合金のＨ2解離キネティックを試験するために、クライミングイメージ−ナッジドエラスティックバンド（climbing image-nudged elastic band）（「CI-NEB」）計算を実施して、Ｈ2分子の吸着された分子状態と、Ｈ2分子の解離状態とを関連付けた。それらの結果が指摘しているのは、Ｃｕ／Ｐｔ（１１１）とＡｕ／Ｐｔ（１１１）の両方の表面合金は、Ｐｔ（１１１）の反応経路と同様の反応経路を示し、それによりこれらの表面合金を触媒（１５２）を形成する見込みのある材料にすることである。それというのも、両方の材料は容易なＨ2解離を促すからである。
【００３９】
第１表と図４に示される結果に基づいて、表面合金Ｃｕ／Ｐｔ（１１１）およびＡｕ／Ｐｔ（１１１）は、触媒（１５２）を形成するのに適切な材料である。それというのも、これらの材料は（ｉ）Ｐｔ（１１１）よりも低いＢｒについての結合エネルギーを示し、かつ（ｉｉ）Ｐｔ（１１１）と同様の速度で容易なＨ2解離を支えるからである。前記表面合金Ｃｕ／Ｐｔ（１１１）およびＡｕ／Ｐｔ（１１１）から少なくとも部分的に形成される触媒（１５２）はＢｒ化学種による被毒をほとんど受けない。結果として、前記電池システム（１００）は、Ｐｔ（１１１）から形成されて表面合金を有さない水素触媒を含む典型的なＨ2／Ｂｒ2電池システムと比べて高められた耐用年数を有する。
【００４０】
本開示を図面および前記説明において概説し、かつ詳細に説明するが、それは概説するものと見なされるべきであり、制限する性質があるものと見なされるべきではない。好ましい実施形態のみが表されており、本開示の趣旨の範囲内となるあらゆる変更、修正および更なる適用も保護されることが望まれると理解される。
【符号の説明】
【００４１】
１００  電池システム、  １０４  臭素部、  １０８  水素部、  １１２  膜、  １１６  臭素源、  １２０  臭素流れ領域、  １２４  集電体、  １２８  臭素電極、  １３２  触媒、  １３６  水素源、  １４０  水素流れ領域、  １４４  集電体、  １４８  水素電極、  １５２  触媒、  １５６  ホスト金属、  １６０  溶質金属、  １６４  電気的負荷
【図１】
2016507884.tif 000007
【図２】
2016507884.tif 000008
【図３】
2016507884.tif 000009
【図４】
2016507884.tif 000010
【国際調査報告】
2016507884.tif 000011
2016507884.tif 000012